(57)【特許請求の範囲】
【請求項１】
同期信号及び放送信号の復号に対して無効な誤り訂正符号が付されて各パケット毎に供給される放送信号の無効部分を検出し、この無効部分を検出したタイミングで無効信号を形成する無効信号形成手段と、
前記放送信号に対して所定の信号処理を施す１つ以上の着脱可能な信号処理手段と、
前記放送信号、或いは前記信号処理手段により信号処理された放送信号を切り換えて出力する切り換え手段と、
前記切り換え手段の切り換え時に、前記無効信号形成手段からの無効信号に応じて、前記切り換え手段に各放送信号の無効部分が供給されたタイミングで切り換えを行うように該切り換え手段を切り換え制御する切り換え制御手段と、
前記切り換え手段を介して供給される放送信号に対して、前記無効信号によりその部分を無効なものとして復号化処理を施す復号化手段と
を有するデジタル放送受信装置。
【請求項２】
同期信号が付されて各パケット毎に供給される放送信号に対して所定の信号処理を施す、着脱可能な１つ以上の信号処理手段と、
前記放送信号、或いは前記信号処理手段により信号処理された放送信号を切り換えて出力する切り換え手段と、
前記切り換え手段の切り換え時に、前記信号処理手段及び復号処理手段の信号処理時間に対応する放送信号を無効とするための無効信号を発生する無効信号発生手段と、
前記切り換え手段を介して供給される放送信号の復号化処理を施す復号化手段と、
前記無効信号を重複して後段に伝搬し、後段の前記信号処理手段又は前記復号化手段においてその部分を無効にする手段とを有し、
前記着脱可能な信号処理手段は、その信号処理に要する時間を示す信号処理時間が記憶された処理時間記憶手段を有し、
前記無効信号発生手段は、前記処理時間記憶手段に記憶された信号処理時間に応じて信号長を変化させた無効信号を発生することを特徴とするデジタル放送受信装置。
【請求項３】
同期信号が付されて各パケット毎に供給される放送信号に対して所定の信号処理を施す、着脱可能な１つ以上の信号処理手段と、
前記着脱可能な信号処理手段の装着及び取り外しを検出する着脱検出手段と、
前記放送信号、或いは前記信号処理手段により信号処理された放送信号を切り換えて出力する切り換え手段と、
前記放送信号に対して、前記信号処理手段の信号処理時間に対応する遅延を施して前記切り換え手段に供給する第１の遅延手段と、
前記信号処理手段により信号処理された放送信号に対して、前記着脱検出手段が信号処理手段の装着及び取り外しを検出するまでに要する時間に対応する遅延を施して前記切り換え手段に供給する第２の遅延手段と、
前記切り換え手段を介して供給される放送信号の復号化処理を施す復号化手段と
を有するデジタル放送受信装置。
【請求項４】
前記着脱可能な信号処理手段は、その信号処理に要する時間を示す信号処理時間が記憶された処理時間記憶手段を有し、
前記第１の遅延手段は、前記処理時間記憶手段に記憶された信号処理時間に応じて遅延量を変化させることを特徴とする請求項３記載のデジタル放送受信装置。
【請求項５】
前記着脱可能な信号処理手段は、その信号処理手段の少なくとも信号処理内容を示す属性情報が記憶された属性情報記憶手段を有し、
前記切り換え制御手段は、前記属性情報記憶手段に記憶されている属性情報が信号を読むだけの場合には、前記切り換え手段を切り換えないように制御することを特徴とする請求項１乃至請求項４のうちいずれか１項記載のデジタル放送受信装置。
【発明の詳細な説明】
【０００１】
【発明の属する技術分野】
本発明は、例えば衛星放送、ケーブルテレビジョンシステム（ＣＡＴＶシステム）等のデジタル放送を受信視聴するためのデジタル放送受信装置に関し、特に受信した信号に対して、例えば有料放送のデスクランブル処理等の信号処理を行うユニット及び受信装置のインターフェース部として設けて好適なデジタル放送受信装置に関する。
【０００２】
【従来の技術】
現在、例えばヨーロッパのデジタル放送規格団体としてＤＶＢ（Ｄｉｇｉｔａｌ  Ｖｉｄｅｏ  Ｂｒｏａｄｃａｓｔｉｎｇ）が知られており、その中の規格の１つとしてコモンインターフェース規格（Ｃｏｍｍｏｎ  Ｉｎｔｅｒｆａｃｅ規格：ＥＮ５０２２１）がある。
【０００３】
このコモンインターフェース規格は、受信装置本体とカードユニットのインターフェース規格であり、中でも特に有料放送の視聴において、受信装置本体で受信したスクランブル信号である暗号化された放送信号を、カードユニットでデスクランブル（暗号復号化）するために、受信装置本体とカードユニットとの間の信号の授受を規格化したものである。
【０００４】
この規格が適用された従来のデジタル放送受信装置は、図１０に示すような構成を有しており、受信装置本体１０１により、端子１０４に供給された衛星放送或いはケーブルテレビ放送等の放送信号を受信復調してテレビジョン受像器に供給することで、利用者による放送番組の視聴を可能とするようになっている。
【０００５】
一般に放送には、無料放送と有料放送とがあり、有料放送の場合は、放送局側において放送信号にスクランブル処理が施されることで暗号化され受信装置側に伝送される。視聴契約を行った利用者の受信装置は、スクランブル処理されて伝送される放送信号を受信すると、この放送信号を、外部に接続されたカードでデスクランブル処理して暗号復号化し、これをデコード処理してテレビジョン受像器に供給する。これにより利用者は、スクランブル処理の施された放送番組の視聴を行うことができる。
【０００６】
具体的には、図１０に示すチューナ／復調回路１０５には、端子１０４を介して周波数多重及び（又は）時分割多重されたデジタル放送信号が供給される。チューナ／復調回路１０５は、視聴者により選択された番組に対応する周波数の信号を選択すると共に、これに復調処理を施して誤り訂正回路１０６に供給する。一般にデジタル放送の伝送では、番組情報に誤り訂正符号が付加され伝送される。このため、誤り訂正回路１０６は、放送信号に対して伝送上の誤りを訂正する誤り訂正処理を施す。一般には、この誤り訂正回路１０６の出力信号の信号ストリームは、ＭＰＥＧ−ＳＹＳＴＥＭ（ＩＳＯ／ＩＥＣ１３８１８−１）規格に則った形式であり、複数の番組の信号が時分割多重されている。この信号ストリームは、受信装置本体１０１に接続されたＩＣカード１０２内に設けられた信号処理回路１１６（デスクランブラ）に供給される。デスクランブラ１１６は、この信号ストリームにデスクランブル処理を施すことにより暗号の復号化を行い、これを再び受信装置本体１０１に供給する。
【０００７】
このＩＣカード１０２におけるストリーム信号のデスクランブル処理は、ストリーム信号の必要な部分にだけ施されるようになっており、他の必要のない部分については施されないようになっている。すなわち、ＩＣカード１０２は、複数の番組が多重されたストリーム信号のうち、視聴者により選択された番組の部分のみをデスクランブル処理し、その他は部分にはデスクランブル処理を施すことなく受信装置本体１０１に供給する。
【０００８】
ここで、このデジタル放送受信装置では、複数の有料放送システムに対応するために、複数のＩＣカードの接続が可能となっており、この複数のＩＣカード間における入出力信号は、いわゆるデイジーチェーン接続されるようになっている。すなわち、誤り訂正回路１０６の出力信号は、ＩＣカード１０２のデスクランブラ１１６により必要に応じてデスクランブル処理されて受信装置本体１０１内のスイッチ１０７に供給され、このスイッチ１０７を介してＩＣカード１０３に供給され、このＩＣカード１０３のデスクランブラ１１７により必要に応じてデスクランブル処理されて受信装置本体１０１内のスイッチ１０８に供給されるようになっている。
【０００９】
なお、この図１０の例では、ＩＣカード１０２、１０３の機能としてデセスクランブラを示したが、２つ以上のＩＣカードをデイジーチェーン接続してもよく、また、ＩＣカードのアプリケーションは、例えば文字放送受信機能、外部出力インターフェース等であっても良い。
【００１０】
各ＩＣカード１０２、１０３は、各デスクランブラ１１６、１１７の制御等を行うために、各制御回路１１８、１１９を介して受信装置本体１０１内の制御回路１１３との間で通信を行う。
【００１１】
各ＩＣカード１０２、１０３により信号処理（デスクランブル処理）された放送信号が受信装置本体１０１に供給されると、デマルチプレクサ回路１０９（ＤＥＭＵＸ回路）は、時分割多重された放送信号の中から必要な信号を選択し、これを映像音声デコード回路１１０に供給する。映像音声デコード回路１１０は、デジタル圧縮符号化された映像音声信号のデコードを行い、これを映像音声出力回路１１１に供給する。映像音声出力回路１１１は、Ｄ／Ａ変換、方式変換等を行い、この放送信号を、端子１１２を介してテレビジョン受像器に供給する。これにより、視聴者は、所望の放送番組を視聴することができる。
【００１２】
ＩＣカード１０２、１０３は、受信装置本体１０１に対して着脱可能となっており、利用者は目的に応じて様々なＩＣカードを着脱して使用するようになっている。ＩＣカード１０２、１０３の着脱は、受信装置本体１０１内に設けられている各カード検出回路１１４、１１５で検出されるようになっており、受信装置本体１０１内の制御回路１１３は、この各カード検出回路１１４、１１５からの各検出出力に応じてスイッチ１０７、１０８を切り換え制御する。
【００１３】
具体的には、カード検出回路１１４、１１５により両方のＩＣカード１０２、１０３の取り外しが検出されると（受信装置本体１０１にＩＣカードが装着されていない場合）、制御回路１１３は、誤り訂正回路１０６からの放送信号を選択するようにスイッチ１０７を切り換え制御すると共に、このスイッチ１０７を介した放送信号を選択するようにスイッチ１０８を切り換え制御する。これにより、放送信号がデスクランブル処理されることなくテレビジョン受像器に供給されることとなるため、視聴者は、所望の放送番組の視聴を行えないこととなる。
【００１４】
また、カード検出回路１１４でのみＩＣカード１０２の取り外しが検出されると（受信装置本体１０１にＩＣカード１０３のみが装着されている場合）、制御回路１１３は、誤り訂正回路１０６からの放送信号を選択するようにスイッチ１０７を切り換え制御すると共に、このスイッチ１０７を介した放送信号をＩＣカード１０３に供給するようにスイッチ１０８を切り換え制御する。そして、この後に、ＩＣカード１０３によりデスクランブル処理された放送信号を選択するようにスイッチ１０８を切り換え制御する。これにより、ＩＣカード１０３に対応してデスクランブル処理された放送信号をテレビジョン受像器に供給することができ、視聴者は、所望の放送番組の視聴を行うことができる。
【００１５】
また、カード検出回路１１５でのみＩＣカード１０３の取り外しが検出されると（受信装置本体１０１にＩＣカード１０２のみが装着されている場合）、制御回路１１３は、誤り訂正回路１０６からの放送信号をＩＣカード１０２に供給するようにスイッチ１０７を切り換え制御すると共に、このスイッチ１０７からの放送信号を選択するようにスイッチ１０８を切り換え制御する。そして、この後に、ＩＣカード１０２によりデスクランブル処理された放送信号を選択するようにスイッチ１０７を切り換え制御する。これにより、ＩＣカード１０２に対応してデスクランブル処理された放送信号をテレビジョン受像器に供給することができ、視聴者は、所望の放送番組の視聴を行うことができる。
【００１６】
また、各カード検出回路１１４、１１５でＩＣカード１０２、１０３の取り外しが検出されない場合、（受信装置本体１０１にＩＣカード１０２、１０３の両方が装着されている場合）、制御回路１１３は、まず、誤り訂正回路１０６からの放送信号をＩＣカード１０２に供給するようにスイッチ１０７を切り換え制御すると共に、この後にＩＣカード１０２によりデスクランブル処理された放送信号を選択するようにスイッチ１０７を切り換え制御する。次に制御回路１１３は、スイッチ１０７からの放送信号をＩＣカード１０３に供給するようにスイッチ１０８を切り換え制御すると共に、この後にＩＣカード１０３によりデスクランブル処理された放送信号を選択するようにスイッチ１０８を切り換え制御する。これにより、ＩＣカード１０２或いはＩＣカード１０３に対応してデスクランブル処理された放送信号をテレビジョン受像器に供給することができ、視聴者は、所望の放送番組の視聴を行うことができる。
【００１７】
【発明が解決しようとする課題】
このように従来のデジタル放送受信装置は、受信装置本体１０１に対して、複数のＩＣカード１０２、１０３を自由に着脱して使用することができるのであるが、一般にＩＣカード内の信号処理回路１１６、１１７（デスクランブラ）は、その信号処理に時間を要するため、入出力間にディレイを生じる。従って、ＩＣカードに供給される信号とＩＣカードから出力される信号とでは位相差を生ずることとなる。また、ＩＣカード１０２、１０３に対する入出力の切り換えを前記スイッチ１０７、１０８で行うと、このスイッチ１０７、１０８の切り換えの瞬間に不定のエラーデータが発生し、また、信号の同期の乱れを生ずる。このエラーデータは、放送信号に付加され後段に伝搬される。デイジーチェーン接続された後段のＩＣカード１０２、１０３や、受信装置本体１０１内のＤＥＭＵＸ回路１０９等の処理回路は、前記位相差を生じた放送信号やエラーデータが付加された放送信号の処理を行うことなるため、誤動作、同期外れ等の不具合を生ずる問題があった。
【００１８】
また、利用者がＩＣカードを取り外した場合には、カード検出回路１１４、１１５での判定に時間を要するため、ＩＣカードが取り外され、カード検出回路１１４、１１５でこのＩＣカードの取り外しを検出し、制御回路１１３がスイッチ１０７、１０８の切り換えを行うまでの間にエラーデータが発生し、同様に前記後段の回路が誤動作等する問題があった。
【００１９】
本発明は上述の課題に鑑みてなされたものであり、ＩＣカードにより信号処理された放送信号と、該信号処理が施されない放送信号との位相差を是正し、また、ＩＣカードの入出力の切り換え時及びＩＣカードの着脱時におけるエラーデータの発生を防止して後段にデイジーチェーン接続される信号処理手段や、後段回路での誤動作の発生を防止することができるようなデジタル放送受信装置の提供を目的とする。
【００２０】
【課題を解決するための手段】
本発明は、上述の課題を解決するために同期信号及び放送信号の復号に対して無効な誤り訂正符号が付されて各パケット毎に供給される放送信号の無効部分を検出し、この無効部分を検出したタイミングで無効信号を形成する無効信号形成手段と、前記放送信号に対して所定の信号処理を施す１つ以上の着脱可能な信号処理手段と、前記放送信号、或いは前記信号処理手段により信号処理された放送信号を切り換えて出力する切り換え手段と、前記切り換え手段の切り換え時に、前記無効信号形成手段からの無効信号に応じて、前記切り換え手段に各放送信号の無効部分が供給されたタイミングで切り換えを行うように該切り換え手段を切り換え制御する切り換え制御手段と、前記切り換え手段を介して供給される放送信号に対して、前記無効信号によりその部分を無効なものとして復号化処理を施す復号化手段とを有する。
【００２１】
このような本発明に係るデジタル放送受信装置は、無効信号形成手段が、同期信号及び放送信号の復号に対して無効な誤り訂正符号が付されて各パケット毎に供給される放送信号の無効部分を検出し、この無効部分を検出したタイミングで無効信号を形成する。切り換え制御手段は、各放送信号の無効部分が供給されたタイミングで、前記放送信号、或いは前記放送信号に対して所定の信号処理を施す１つ以上の着脱可能な信号処理手段により信号処理された放送信号を切り換えて出力する切り換え手段を切り換え制御する。そして、復号化手段が、前記切り換え手段を介して供給される放送信号に対して、前記無効信号によりその部分を無効なものとして復号化処理を施す。
【００２２】
これにより、画像情報や音声情報等の本来の情報とは関係のない部分で切り換え手段を切り換え制御することができ、この切り換えにより後段の回路である復号化手段が誤動作する不都合を防止することができる。
【００２３】
【発明の実施の形態】
以下、本発明に係るデジタル放送受信装置の好ましい実施の形態について図面を参照しながら詳細に説明する。
【００２４】
まず、本発明に係る第１の実施の形態のデジタル放送受信装置は、図１に示すように受信装置本体１と、この受信装置本体１に接続される第１、第２のＩＣカード２、３とで構成されている。このデジタル放送受信装置では、複数の有料放送システムに対応するために、複数のＩＣカードの接続が可能となっており、この複数のＩＣカード２、３間における入出力信号は、いわゆるデイジーチェーン接続されるようになっている。各ＩＣカード２、３は、各デスクランブラ２５、３０の制御等を行うために、各制御回路２７、３２を介して受信装置本体１内の制御回路１７との間で通信を行う。
【００２５】
なお、この図１の例では、ＩＣカード２、３の機能としてデセスクランブラを示したが、２つ以上のＩＣカードをデイジーチェーン接続してもよく、また、ＩＣカードのアプリケーションは、例えば文字放送受信機能、外部出力インターフェース等であっても良い。
【００２６】
受信装置本体１は、所定のスクランブル処理により暗号化されると共に、周波数多重及び（又は）時分割多重されたデジタル放送信号が供給される第１の入力端子４と、例えばデジタルビデオテープレコーダ装置等の外部信号発生装置に接続され、この外部信号発生装置からの再生信号が供給される第２の入力端子５を有している。なお、この再生信号は、第１、第２のいずれかのＩＣカード２、３に供給するようにしてもよい。また、以下、第１の入力端子４を介して供給されるデジタル放送信号及び第２の入力端子５を介して供給される外部信号発生装置からの再生信号を纏めて「放送信号」という。
【００２７】
第１の入力端子４を介して供給された放送信号は、チューナ／復調回路６に、また、第２の入力端子５を介して供給された放送信号は、第１のスイッチ８に供給される。
【００２８】
チューナ／復調回路６は、視聴者により選択された番組に対応する周波数の信号を選択すると共に、これに復調処理を施して誤り訂正回路７に供給する。一般にデジタル放送の伝送では、番組情報に誤り訂正符号が付加され伝送される。具体的には、この放送信号は、図２（ａ）に示すように同期信号、ペイロード及び誤り訂正符号で形成されるパケットの連続から成り立っている。
【００２９】
誤り訂正回路７は、放送信号に対して伝送上の誤りを訂正する誤り訂正処理を施す。一般には、この誤り訂正回路７の出力信号の信号ストリームは、ＭＰＥＧ−ＳＹＳＴＥＭ（ＩＳＯ／ＩＥＣ１３８１８−１）規格に則った形式であり、複数の番組の信号が時分割多重されている。また、この誤り訂正処理により、図２（ａ）に斜線で示す誤り訂正後の放送信号の誤り訂正符号部分は無効となる。この放送信号は、第１のスイッチ８に供給される。
【００３０】
制御回路１７は、この第１のスイッチ８に供給される第１或いは第２の入力端子４、５を介した放送信号のうち、視聴者により選択された放送信号を選択するように第１のスイッチ８を切り換え制御する。この第１のスイッチ８により選択された放送信号は、第１のＩＣカード２内の信号処理回路２５（デスクランブラ）、第２のスイッチ９及び無効信号形成回路１８に供給される。
【００３１】
第１のＩＣカード２のデスクランブラ２５は、前記放送信号の信号ストリームにデスクランブル処理を施すことにより暗号の復号化を行う。このデスクランブル処理は、ストリーム信号の必要な部分にだけ施されるようになっており、他の必要のない部分については施されないようになっている。
【００３２】
すなわち、デスクランブラ２５は、複数の番組が多重されたストリーム信号のうち、視聴者により選択された番組の部分のみをデスクランブル処理し、その他は部分にはデスクランブル処理を施すことなく受信装置本体１内の第２のスイッチ９及び第３のスイッチ１０を介してデマルチプレクサ回路１１（ＤＥＭＵＸ回路）に供給すると共に、第２のＩＣカード３内のデスクランブラ３０に供給する。第２のＩＣカード３内のデスクランブラ３０は、第１のＩＣカード２内のデスクランブラ２５と同様に、放送信号に対してデスクランブル処理を施し、これを受信装置本体１内の第３のスイッチ１０を介してＤＥＭＵＸ回路１１に供給する。
【００３３】
このデスクランブル処理された放送信号が供給されるＤＥＭＵＸ回路１１は、以下に説明する「無効信号」に基づいて各パケットの無効部分（誤り訂正符号が付加されていた部分）の無効処理を行うようになっている。
【００３４】
具体的には、前記第１のスイッチ８からの誤り訂正処理の施された放送信号が供給される無効信号形成回路１８は、この供給される放送信号の前記無効部分（誤り訂正符号が付加されていた部分）を検出し、図２（ｂ）に示すようにこの無効部分の間にハイレベルとなる無効信号を形成して第１のＩＣカード２の遅延回路２６に供給する。
【００３５】
遅延回路２６の遅延時間は、デスクランブラ２５がデスクランブル処理に要する時間と等しい時間に設定されている。この遅延回路２６は、前記無効信号に対して前記デスクランブル処理に要する時間分の遅延を施し、これを受信装置本体１内の第１の無効信号検出回路１９及び第２のＩＣカード３の遅延回路３１に供給する。
【００３６】
第２のＩＣカード３の遅延回路３１は、供給された無効信号に対して、デスクランブラ３０がデスクランブル処理に要する時間分の遅延を施し、これを受信装置本体１内の第２の無効信号検出回路２０及びＤＥＭＵＸ回路１１に供給する。
【００３７】
前述のように、ＤＥＭＵＸ回路１１に供給される放送信号は、各ＩＣカード２、３内のデスクランブラ２５、３０によりデスクランブル処理されているため、この２回のデスクランブル処理分の遅延が施されてＤＥＭＵＸ回路１１に供給されることとなる。また、無効信号形成回路１８で形成された無効信号は、各ＩＣカード２、３内の遅延回路２６、３１により、前記２回のデスクランブル処理に相当する時間分の遅延が施されてＤＥＭＵＸ回路１１に供給されることとなる。このため、ＤＥＭＵＸ回路１１に各パケットの無効部分が供給されるタイミングと、前記無効信号が供給されるタイミングとはそれぞれ合致したものとなる。
【００３８】
ＤＥＭＵＸ回路１１は、時分割多重された放送信号の中から必要な信号を選択し、これを映像音声デコード回路１２に供給するのであるが、この無効信号が供給されている間に供給される放送信号は無効とする無効処理を行う。これにより、放送信号に無効部分が含まれている場合であっても、これを無効なものとして正確に信号処理することができ、無効部分により後段の回路に誤動作、同期外れ等が生ずる不都合を防止することができる。
【００３９】
ＤＥＭＵＸ回路１１からの放送信号が供給される映像音声デコード回路１２は、デジタル圧縮符号化された映像音声信号のデコードを行い、これを映像音声出力回路１３に供給する。映像音声出力回路１３は、Ｄ／Ａ変換、方式変換等を行い、この放送信号を、出力端子１４を介してテレビジョン受像器に供給する。これにより、視聴者は、所望の放送番組を視聴することができる。
【００４０】
ここで、現在、第１のスイッチ８から供給される放送信号を選択している第２、第３のスイッチ９、１０を、各ＩＣカード２、３のデスクランブラ２５、３０から供給される放送信号を選択するように切り換え制御する場合、この切り換えを例えば図２（ａ）に示す同期信号部分やペイロード部分で行うと、ＤＥＭＵＸ回路１１等の後段回路に誤動作、同期外れ等の不都合を生ずる虞がある。
【００４１】
このため、当該第１の実施の形態のデジタル放送受信装置には、各ＩＣカード２、３の各遅延回路２６、３１からの無効信号を検出する第１、第２の無効信号検出回路１９、２０と、この各無効信号検出回路１９、２０からの検出出力に基づいて、第２、第３のスイッチ９、１０を切り換え制御するタイミング回路２２が設けられている。
【００４２】
第２、第３のスイッチ９、１０が、第１のスイッチ８から供給される放送信号を選択している場合において、第１の無効信号検出回路１９は、図２（ｂ）に示すように無効信号形成回路１８により定期的に形成され第１のＩＣカード２の遅延回路２６を介して供給される同図（ｂ）に示すような無効信号を検出する。第１の無効信号検出回路１９は、この遅延回路２６から供給される無効信号を検出し、この検出出力をタイミング回路２１に供給する。同様に、第２の無効信号検出回路２０は、第２のＩＣカード３の遅延回路３１を介して供給される無効信号を検出する。第２の無効信号検出回路２０は、この遅延回路３１から供給される無効信号を検出し、この検出出力をタイミング回路２２に供給する。
【００４３】
制御回路１７は、第２、第３のスイッチ９、１０を、各ＩＣカード２、３のデスクランブラ２５、３０から供給される放送信号を選択する際に、この切り換え制御信号を各タイミング回路２１、２２に供給する。各タイミング回路２１、２２は、この切り換え制御信号が供給されると、各無効信号検出回路１９、２０からの無効信号の検出出力が供給されるまで待ち状態となり、この無効信号の検出出力が供給されたタイミングで、図２（ｃ）に示すような切り換え信号により各ＩＣカード２、３のデスクランブラ２５、３０から供給される放送信号を選択するように第２、第３のスイッチ９、１０を切り換え制御する。なお、この図２（ｃ）において、ローレベルの切り換え信号は、第１のスイッチ８から供給される放送信号を選択する側に、ハイレベルの切り換え信号は、各デスクランブラ２５、３０から供給される放送信号を選択する側に、それぞれ第２、第３のスイッチ９、１０を切り換え制御するための信号を示す。
【００４４】
これにより、無効となる信号が供給されているタイミングで第２、第３のスイッチ９、１０を切り換え制御することができるため、ＤＥＭＵＸ回路１１等の後段回路に誤動作、同期外れ等が生ずる不都合を防止することができる。
【００４５】
次に、ＩＣカードにはデスクランブラ等のように、入力信号を処理して出力するものや、文字放送デコーダのように信号処理した信号を出力しないものもある。このため、当該第１の実施の形態のデジタル放送受信装置の各ＩＣカード２、３内には、例えばそのＩＣカードが信号を読むだけのものか、或いは書き換えも行うものであるか等のそのＩＣカードの属性を示す属性情報が記憶された属性情報メモリ２８、３３が設けられている。各ＩＣカード２、３の各制御回路２７、３２は、受信装置本体１内の制御回路１との間で通信を行うことにより、各ＩＣカード２、３の属性情報を受信装置本体１に伝達する。
【００４６】
受信装置本体１の制御回路１７は、そのＩＣカードが、信号を読むだけの属性を示すものである場合は、第２、第３のスイッチ９、１０を切り換え制御して放送信号を各ＩＣカード２、３に供給する必要はないため、放送信号が各ＩＣカード２、３をバイパスするように、第２、第３のスイッチ９、１０を切り換え制御する。これにより、スイッチの切り換え制御を不要とすることができるため、当該デジタル放送受信装置の、より確実な動作を可能とすることができる。
【００４７】
次に本発明の第２の実施の形態のデジタル放送受信装置の説明をする。上述の第１の実施の形態のデジタル放送受信装置は、誤り訂正処理後に放送信号の各パケットに含まれることとなる無効信号を検出し、これに基づいて遅延処理による第２、第３のスイッチ９、１０の切り換え制御を行うものであったが、放送信号中に必ずしも無効信号が含まれているとは限らない。この第２の実施の形態のデジタル放送受信装置は、受信装置本体１が無効信号又はリセット信号を発生し、これに基づいて第２、第３のスイッチ９、１０の切り換え制御を行うようにしたものである。
【００４８】
なお、この第２の実施の形態のデジタル放送受信装置は、この点のみが上述の第１の実施の形態のデジタル放送受信装置と異なるため、以下、この差異に関連する部分の説明のみ行い、他の同じ動作を示す箇所には図３中同じ符号を付し重複した説明は省略することとする。
【００４９】
すなわち、この第２の実施の形態のデジタル放送受信装置は、図３に示すように第２、第３のスイッチ９、１０の切り換え時に所定の放送信号（所定のパケット）を無効とするための無効信号を発生する第１、第２の無効信号発生回路１９、２０と、第１の無効信号発生回路１９が発生した無効信号及び上述の無効信号検出回路１８により検出され遅延回路２６によりデスクランブル処理時間分の遅延処理が施された無効信号の論理和をとる第１のＯＲ回路３９と、第２の無効信号発生回路２０が発生した無効信号及び遅延回路３１によりデスクランブル処理時間分の遅延処理が施された第１のＯＲ回路３９からの無効信号の論理和をとり、これをＤＥＭＵＸ回路１１に供給する第２のＯＲ回路４０とを有している。
【００５０】
また、この第２の実施の形態のデジタル放送受信装置は、第２のスイッチ９によりデスクランブラ２５からの放送信号を選択する場合又は（及び）第２のスイッチ９により第１のスイッチ８からの放送信号を選択する場合に所定時間分のリセット信号を形成して出力する第１のリセット発生回路３８と、第３のスイッチ１０によりデスクランブラ３０からの放送信号を選択する場合又は（及び）第３のスイッチ１０により第２のスイッチ９からの放送信号を選択する場合に所定時間分のリセット信号を形成して出力する第２のリセット発生回路４１と、各リセット発生回路３８、４１からの各リセット信号の論理和をとり、これをＤＥＭＵＸ回路１１に供給する第３のＯＲ回路４２とを有している。
【００５１】
このような第２の実施の形態のデジタル放送受信装置において、受信装置本体１は、図４（ａ）に示すようなデータ伝送クロックに基づいて信号処理を行うようになっている。
【００５２】
ここで、現在、例えば図４（ｂ）に示すような連続したパケットＤｎ、Ｄｎ＋１、Ｄｎ＋２・・・の放送信号が第１のスイッチ８を介して第２のスイッチ９に供給されており、第２、第３のスイッチ９、１０が、この放送信号を選択するように切り換え制御されているのであるが、図４（ｂ）に示すパケットＤｎ＋２が該第２のスイッチ９に供給されたタイミング（パケットＤｎ＋１の先頭のタイミング）で、同図（ｅ）に示すハイレベルの信号により第２、第３のスイッチ９、１０がデスクランブラ２５からの放送信号を選択するように切り換え制御されたとすると、ＤＥＭＵＸ回路１１に重複するパケットの放送信号が供給されるようになる。
【００５３】
すなわち、デスクランブラ２５のデスクランブル処理に要する時間が、例えば２データ伝送クロック分であったとすると、このデスクランブラ２５からの放送信号は、図４（ｃ）に示すように２データ伝送クロック分遅延したタイミングで第２のスイッチ９に供給されることとなる。このため、前記タイミングでスイッチの切り換えが行われると、この場合、図４（ｄ）に示すように２データ伝送クロック分遅延したパケットＤｎ及びパケットＤｎ＋１が、デスクランブラ２５に供給されることなく第２のスイッチ９を介して先に伝送されたパケットＤｎ及びパケットＤｎ＋１Ｎに続いて伝送され、この重複した各パケットＤｎ、Ｄｎ＋１がＤＥＭＵＸ回路１１に重複して供給され誤動作の原因となる。
【００５４】
このため、第１、第２の無効信号発生回路１９、２０は、第２のスイッチ９がデスクランブラ２５、３０からの放送信号を選択するように切り換え制御されたタイミングで、図４（ｆ）に示すような前記デスクランブル処理に要する時間分（２データ伝送クロック分）の無効信号を形成して出力する。第１の無効信号発生回路１９からの無効信号は、第１のＯＲ回路３９を介して第２のＩＣカード３の遅延回路３１に供給され、２データ伝送クロック分の遅延が施され、第２のＯＲ回路４０を介してＤＥＭＵＸ回路１１に供給される。また、第２の無効信号発生回路２０からの無効信号は、第２のＯＲ回路４０を介してＤＥＭＵＸ回路１１に供給される。
【００５５】
これに対して、第１のＩＣカード２のデスクランブラ２５によりデスクランブル処理された放送信号は、第２のスイッチ９を介して第２のＩＣカード３のデスクランブラ３０に供給され、さらに２データ伝送クロック分の時間をかけてデスクランブル処理され第３のスイッチ１０を介してＤＥＭＵＸ回路１１に供給される。
【００５６】
従って、ＤＥＭＵＸ回路１１において、前記無効信号により第２、第３のスイッチ９、１０の前記切り換え時に発生した重複するパケット（この場合は、パケットＤｎ及びパケットＤｎ＋１）がＤＥＭＵＸ回路１１に供給されるタイミングでこれらを無効とすることができ、ＤＥＭＵＸ回路１１等の後段の回路の誤動作を防止することができる。
【００５７】
次に、例えば図４（ｃ）に示すパケットＤｍの先頭のタイミングで、同図（ｅ）に示すように第２、第３のスイッチ９、１０が、第１のスイッチ８からの放送信号を選択するように切り換え制御された場合、前述のように第２のＩＣカード３のデスクランブラ３０はそのデスクランブル処理に２データ伝送クロック分の処理時間を要することから、第３のスイッチ１０から出力される信号は、同図（ｄ）に示すようにこの切り換え制御の２データ伝送クロック分前に第３のスイッチ１０に供給されたはずのパケットＤｍ＋１及びパケットＤｍ＋２が欠落したものとなり、ＤＥＭＵＸ回路１１等の後段の回路に誤動作を生ずる虞がある。
【００５８】
このため、当該デジタル放送受信装置は、第２、第３のスイッチ９、１０の前記切り換え制御を検出すると、このタイミング（この場合、パケットＤｍの先頭のタイミング）で、リセット発生回路３８、４１が、図４（ｇ）に示すように２データ伝送クロック分のリセット信号を形成し、これをＯＲ回路４２を介してＤＥＭＵＸ回路１１に供給する。これにより、前記切り換え制御のタイミングでＤＥＭＵＸ回路１１をリセットすることができ、ＤＥＭＵＸ回路１１に対してその時点から新たな信号処理を開始させることができ、後段の回路に誤動作等を生ずる不都合を防止することができる。
【００５９】
なお、第２、第３のスイッチ９、１０が、各ＩＣカード２、３からの放送信号を選択するように切り換え制御された際は無効信号のみを発生することとしたが、これは、図４（ｇ）に点線で示すようにこの切り換えのタイミングでリセット発生回路３８、４１がリセット信号を発生してＤＥＭＵＸ回路１１をリセットするようにしてもよい。
【００６０】
次に、受信装置本体１に装着されていた第１のＩＣカード２或いは第２のＩＣカード３が取り外された場合、第１のカード検出回路１５或いは第２のカード検出回路１６がこれを検出（判定）するのであるが、この判定には多少の時間を要し、第２のスイッチ９から出力される放送信号に、この判定時間分の不定信号が生ずることとなる。このため、当該第２の実施の形態のデジタル放送受信装置は、いずれかのＩＣカード２、３が受信装置本体１から取り外された場合に、リセット発生回路３８或いはリセット発生回路４１がリセット信号を発生し、ＤＥＭＵＸ回路１１をリセットして前記不定信号が信号処理されることで生ずる誤動作を防止するようになっている。
【００６１】
具体的には、図５において、図５（ａ）は前記データ伝送クロックを、同図（ｂ）は第２のスイッチ９に供給される第１のスイッチ８からの放送信号を示し、例えば第１のＩＣカード２のデスクランブラ２５に放送信号のパケットＤｎが供給されている最中に第１のＩＣカード２が取り外しされた場合、これ以後の第２のスイッチ９に供給されるデスクランブラ２５からの放送信号は、同図（ｃ）に示すように無信号状態となり、また、第２のスイッチ９から出力される放送信号は、同図（ｄ）に斜線で示すように不定信号となる。
【００６２】
第１のカード検出回路１５は、第１のＩＣカード２が取り外しされると、これを検出するのであるが、この判定には多少の時間をようする。このため、第１のカード検出回路１５は、実際に第１のＩＣカード２の取り外しからこの判定結果を出力するまでの間は、図５（ｇ）に示すように第１のＩＣカード２が装着されていることを示すローレベルの検出信号を制御回路１７に供給し、この判定をしたタイミングで、第１のＩＣカード２が取り外しされたことを示すハイレベルの検出信号を制御回路１７に供給する。
【００６３】
制御回路１７は、第１のカード検出回路１５からハイレベルの検出信号が供給されると、図５（ｅ）に示すようにそれまで第１のＩＣカード２のデスクランブラ２５からの放送信号を選択するように切り換え制御していた第２のスイッチ９を、第１のスイッチ８からの放送信号を選択するように切り換え制御する。これにより、図５（ｄ）に示すように第１のＩＣカード２が取り外されたことが検出されたタイミングから、後段の回路に対して第１のスイッチ８からの放送信号を供給することができる。
【００６４】
また、制御信号１７は、第１のカード検出回路１５からハイレベルの検出信号が供給されると、この第２のスイッチ９の切り換え制御と共に、図５（ｆ）に示すようにリセット信号を形成して出力するようにリセット発生回路３８を制御する。これにより、このリセット発生回路３８からのリセット信号が、第３のＯＲ回路４２を介してＤＥＭＵＸ回路１１に供給され、ＤＥＭＵＸ回路１１がリセットされる。従って、このリセットの時点からＤＥＭＵＸ回路１１における信号処理が新たに再開されるように該ＤＥＭＵＸ回路１１を制御することができ、前記不定信号が信号処理されることにより誤動作を生ずる不都合を防止することができる。
【００６５】
次に、各ＩＣカード２、３内に設けられているデスクランブラ２５、３０の信号処理時間は、それぞれ同じ固定的な信号処理時間とは限らない（この信号処理を経て出力される放送信号が同じ遅延量とは限らない）。このため、前述の無効信号のパルス長（パルス幅）を固定的なものとしたのでは、ＤＥＭＵＸ回路１１において無効とすべきパケットを正確に無効とすることはできないこととなる。
【００６６】
このため、当該第２の実施の形態のデジタル放送受信装置の各ＩＣカード２、３内には、各デスクランブラ２５、３０の信号処理に要する時間を示す遅延量情報が記憶された遅延量情報メモリ２９、３４が設けられている。
【００６７】
受信装置本体１の制御回路１７は、各ＩＣカード２、３が装着されると、該各ＩＣカード２、３の制御回路２７、３２との間で通信を行い、該制御回路２７、３２により各遅延量情報メモリ２９、３４から読み出された遅延量情報の取り込みを行う。そして、制御回路１７は、この取り込んだ遅延量情報に基づいて、前記各無効信号発生回路１９、２０から出力される無効信号のパルス幅を制御する。
【００６８】
これにより、各ＩＣカード２、３内に設けられているデスクランブラ２５、３０の信号処理時間に応じて、ＤＥＭＵＸ回路１１において無効とすべきパケットを正確に無効とすることはできる。
【００６９】
次に、前述のように受信装置本体１に供給される放送信号はパケット化されているため、第２、第３のスイッチ９、１０の切り換え制御を行う場合には、パケットとパケットとの間の区切り目で行うことが好ましい。
【００７０】
このため、当該第２の実施の形態のデジタル放送受信装置の受信装置本体１には、第１のスイッチ８を介した放送信号の各パケットの区切り目を検出するタイミング回路３７が設けられている。このタイミング回路３７は、例えば図２（ａ）を用いて説明したように各パケットのヘッダに付されている同期信号を検出し、このタイミングで同期検出信号を制御回路１７に供給する。制御回路１７は、第２、第３のスイッチ９、１０の切り換え制御を行う際に、この同期検出信号が供給されたタイミングで該切り換え制御を行う。これにより、より確実に信号処理を行う放送信号の切り換え制御を行うことができる。
【００７１】
次に本発明の第３の実施の形態のデジタル放送受信装置の説明をする。この第３の実施の形態のデジタル放送受信装置は、第１のスイッチ８を介して供給される放送信号に各ＩＣカード２、３のデスクランブル処理時間分の遅延処理を施すことにより、第２、第３のスイッチ９、１０を切り換えた際にＤＥＭＵＸ回路１１等の後段の回路が放送信号に生じた位相ずれにより位相外れを生ずる不都合等を防止するようにしたものである。
【００７２】
なお、この第３の実施の形態のデジタル放送受信装置は、この点のみが上述の第１、第２の実施の形態のデジタル放送受信装置と異なるため、以下、この差異に関連する部分の説明のみ行い、他の同じ動作を示す箇所には図６中同じ符号を付し重複した説明は省略することとする。
【００７３】
すなわち、この第３の実施の形態のデジタル放送受信装置は、図６に示すように第１、第２のスイッチ８、９の間に該第１のスイッチ８からの放送信号に対して第１のＩＣカード２で施されるデスクランブル処理時間分の遅延処理を施して第２のスイッチ９に供給する第１の遅延回路４５と、第２、第３のスイッチ９、１０の間に該第２のスイッチ９からの放送信号に対して第２のＩＣカード３で施されるデスクランブル処理時間分の遅延処理を施して第３のスイッチ１０に供給する第２の遅延回路４５とを有している。
【００７４】
このような第３の実施の形態のデジタル放送受信装置は、図７（ａ）に示すようなデータ伝送クロックに基づいて信号処理を行うようになっている。上述の第２の実施の形態で説明したように、図７（ｅ）に示すローレベルからハイレベルとなる切り換え制御信号により、第２、第３のスイッチ９、１０が同図（ｃ）に示すような各ＩＣカード２、３のデスクランブラ２５、３０からの放送信号を選択するように切り換え制御されると、この切り換えの際に発生する重複したパケット（この場合は、Ｄｎ及びＤｎ＋１の各パケット）がＤＥＭＵＸ回路１１に供給されるタイミングで同図（ｆ）に示すハイレベルのリセットパルスによりＤＥＭＵＸ回路１１をリセット制御する。
【００７５】
次に、図７（ｅ）に示すハイレベルからローレベルとなる切り換え制御信号により、図７（ｂ）に示すような第１のスイッチ８からの放送信号（デスクランブル処理が施されていない放送信号）を選択するように第２、第３のスイッチ９、１０が切り換え制御された場合、制御回路１７は、第１のスイッチ８を介して供給される放送信号、及び第２のスイッチ９を介して供給される放送信号に対して、デスクランブラ２５、３０で施されるデスクランブル処理の処理時間分の遅延を施すように第１の遅延回路４５及び第２の遅延回路４６を制御する。
【００７６】
これにより、図７（ｃ）、（ｄ）に示すようにデスクランブル処理された放送信号と、第１のスイッチ８から第２のスイッチ９を介して供給される放送信号との各位相を合わせることができる。このため、第１のスイッチ８からの放送信号を選択するように第２、第３のスイッチ９、１０を切り換え制御した場合でも、位相を合わせた状態でＤＥＭＵＸ回路１１等の後段の回路に放送信号を供給することができ、位相がずれた放送信号が供給されることにより生ずる位相外れ等の不都合を防止することができるうえ、上述の第１、第２の実施の形態のデジタル放送受信装置と同じ効果を得ることができる。
【００７７】
ここで、各ＩＣカード毎にデスクランブル処理時間等の信号処理時間が異なる場合がある。当該第３の実施の形態のデジタル放送受信装置は、各ＩＣカード２、３の遅延量情報メモリ２９、３４に各信号処理時間が記憶されている。そして、受信装置本体１の制御回路１７が、各ＩＣカード２、３の各制御回路２７、３２との間で通信を行い、各遅延量情報メモリ２９、３４に記憶されている信号処理時間に応じて各遅延回路４５、４６の遅延時間を制御する。これにより、各ＩＣカード２、３の信号処理時間に応じて第１のスイッチ８或いは第２のスイッチ９からの放送信号の遅延時間を制御することができ、ＤＥＭＵＸ回路１１等の後段の回路における位相外れ等の不都合を防止することができる。
【００７８】
次に、本発明の第４の実施の形態のデジタル放送受信装置の説明をする。
【００７９】
この第４の実施の形態のデジタル放送受信装置は、図８に示すように上述の第３の実施の形態と同様に、第１、第２のスイッチ８、９を介した放送信号に所定の遅延処理を施す第１、第２の遅延回路４５、４６と共に、各カード検出回路１５、１６が各ＩＣカード２、３の取り外しを検出する検出時間に相当する遅延を各デスクランブラ２５、３０からの放送信号に施して第２、第３のスイッチ９、１０に供給する第３、第４の遅延回路４９、５０を有している。
【００８０】
なお、当該第４の実施の形態に係るデジタル放送受信装置は、この第３、第４の遅延回路４９、５０を設けた点のみが、上述の第３の実施の形態に係るデジタル放送受信装置と異なるため、以下、この差異に関連する部分の説明のみ行い、他の同じ動作を示す箇所には図８中同じ符号を付し重複した説明は省略することとする。
【００８１】
図９（ａ）〜（ｆ）に信号処理の基準とされるデータ伝送クロック、第１のスイッチ８から出力される放送信号、第１のＩＣカード２からのデスクランブル処理された放送信号、第２のスイッチ９を介して出力される放送信号、第２、第３のスイッチ９、１０を切り換え制御するための切り換え制御信号（ハイレベルでデスクランブル処理された放送信号を選択）、第１のカード検出回路１５からの検出信号（ローレベルでＩＣカードが装着されていることを示し、ハイレベルでＩＣカードが取り外されたことを示す。）をそれぞれ示す。
【００８２】
なお、この例において、第１、第２のＩＣカード２、３のデスクランブル処理による遅延時間は２データ伝送クロックに相当する時間、各カード検出回路１５、１６がＩＣカードの有無を検出するまでの検出時間を４データ伝送クロックに相当する時間とする。
【００８３】
この図８、図９において、例えば図９（ｂ）に示すパケットＤｎ＋１の先頭のタイミングで第１のＩＣカード２が受信装置本体１から取り外されたとすると、第３の遅延回路４９には４データ伝送クロック分の放送信号が蓄積されているため、この放送信号は、第２のスイッチ９を介してそのまま出力される。第１のカード検出回路は、前述のようにその検出に４データ伝送クロック分の時間を要するため、図９（ｆ）に示すように第１のＩＣカード２の取り外しから４データ伝送クロック後にＩＣカード２が取り外されたことを検出し、この検出出力を制御回路１７に供給する。
【００８４】
制御回路１７は、この検出出力が供給されると、図９（ｅ）に示すようにローレベルの切り換え制御信号を第２、第３のスイッチ９、１０に供給し、第１のスイッチ８或いは第２のスイッチからのデスクランブル処理が施されていない放送信号を選択するように該スイッチ９、１０を切り換え制御する。これにより、ＤＥＭＵＸ回路１１に供給する放送信号を、図９（ｄ）に示すように第１のＩＣカード２からのデスクランブル出力と位相の合致した２データ伝送クロック遅れの放送信号に切り換えることができる。このため、第２、第３のスイッチ９、１０からの出力を、エラーデータを生ずることなくＤＥＭＵＸ回路１１等の後段の回路に供給することができ、エラーデータの発生により後段の回路が誤動作等する不都合を防止することができる他、上述の各実施の形態のデジタル放送受信装置と同じ効果を得ることができる。
【００８５】
なお、上述の各実施の形態の説明は、本発明の一例である。このため、例えば受信装置本体１には、第１、第２のＩＣカード３、４の計２枚のＩＣカードの装着が可能であることとしたが、これは、１枚又は３枚以上のＩＣカードの装着を可能としてもよく、この他、本発明に係る技術的思想を逸脱しない範囲であれば設計等に応じて種々の変更が可能であることは勿論である。
【００８６】
【発明の効果】
本発明に係るデジタル放送受信装置は、信号処理手段により信号処理が施された放送信号と、該信号処理が施されない放送信号とを切り換えて出力する切り換え手段の後段の回路の誤動作の発生を防止することができる。また、デイジーチェーン接続された複数の信号処理手段を有する場合は、この後段の信号処理手段の誤動作の発生を防止することができる。
【図面の簡単な説明】
【図１】本発明の第１の実施の形態のデジタル放送受信装置のブロック図である。
【図２】前記第１の実施の形態のデジタル放送受信装置の動作を説明するためのタイムチャートである。
【図３】本発明の第２の実施の形態のデジタル放送受信装置のブロック図である。
【図４】前記第２の実施の形態のデジタル放送受信装置の、第２、第３のスイッチの切り換え時における動作を説明するためのタイムチャートである。
【図５】前記第２の実施の形態のデジタル放送受信装置の、各ＩＣカードの着脱時における動作を説明するためのタイムチャートである。
【図６】本発明の第３の実施の形態のデジタル放送受信装置のブロック図である。
【図７】前記第３の実施の形態のデジタル放送受信装置の、ＩＣカードで信号処理が施される放送信号と、該信号処理が施されない放送信号との位相合わせ動作を説明するためのタイムチャートである。
【図８】本発明の第４の実施の形態のデジタル放送受信装置のブロック図である。
【図９】本発明の第５の実施の形態のデジタル放送受信装置の、ＩＣカード着脱時の動作を説明するためのタイムチャートである。
【図１０】従来のデジタル放送受信装置のブロック図である。
【符号の説明】
１…受信装置本体、２、３…第１、第２のＩＣカード、７…誤り訂正回路
６…チューナ／復調回路、８〜１０…第１〜第３のスイッチ
１１…デマルチプレクサ回路（ＤＥＭＵＸ回路）、１７…制御回路
１２…映像音声デコード回路、１３…映像音声出力回路
１５、１６…第１、第２のカード検出回路、１８…無効信号形成回路
１９、２０…第１、第２の無効信号検出回路、２５、３０…デスクランブラ
２１、２２…第１、第２のタイミング回路、２６、３１…遅延回路
２８、３３…属性情報メモリ、２７、３２…制御回路
【図１】
0003592503.tif 000002
【図２】
0003592503.tif 000003
【図３】
0003592503.tif 000004
【図４】
0003592503.tif 000005
【図５】
0003592503.tif 000006
【図６】
0003592503.tif 000007
【図７】
0003592503.tif 000008
【図８】
0003592503.tif 000009
【図９】
0003592503.tif 000010
【図１０】
0003592503.tif 000011